(57)【特許請求の範囲】
【請求項１】
自在継ぎ手を介して肩に掛ける伸縮自在の自在アームと繋がっていて、使用者の肩の厚さによって自在アームを伸縮し、且つ自在継ぎ手を縦方向に自在アームを開いて角度を調節し、また同じ自在継ぎ手によって角度を横方向に調節して、３次元的に微調整して、送受話器を顔の左右いずれかに、場合によっては２台の送受話器を両肩に同時に掛け、両手を使わずに自由に電話送受話器を使える「肩掛け電話送受話器」。
【請求項２】
請求項１に記載の自在継ぎ手を介した自在アームを電話器の送受話器本体の受話口に近い方の背面側に暫定的にビスや両面テープで取り付け可能とした、「電話送受話器の肩掛け固定具」。
【発明の詳細な説明】
【技術分野】
【０００１】本発明は、電話送受話器を肩に掛け、場合によっては２台の送受話器を両肩に同時に掛け、両手を電話操作以外の作業に使えるというものである。
【背景技術】
【０００２】  昨今のＩＴ時代にあっては、会社は勿論のこと、自宅就業者にとっても、電話はパソコン操作中、あるいは電話の内容によっては、パソコン・モニターをチェックしながらの対応、商取引、テレホン・ショッピングなど、電話とパソコンが相互に有効に作用しあって初めて会話が完了するといった場合が多く、両手を電話送受話器以外に使わなければ、効率よくまた時間の無駄なく問題を処理することが出来ない。【０００３】  一方、多種多様の情報をチェックする場合も、コードレス送受話器を保持したまま、書斎や書棚、机上の書類を両手で探す場合も少なくない。【０００４】  先に挙げたような事例では、これまでは顔と肩の間に挟んだまま対応し、窮屈で且つ不安定な態勢での送受話器の保持に、ともすれば床上や机上に落下させたり、その上不必要な部分の筋力を使用して疲労を蓄積させたり、またパソコン操作のスピードを遅らせ、顧客の要望にスピーデイに的確に対応することを妨げてきた。【０００５】  また、場合によっては同時に２台の電話を両手に持ったまま、片手でパソコンを窮屈に操作し、モニターも満足に見ることもできず、分厚い資料を開くことが出来ないといったもどかしい状況があった。【０００６】  このような課題を解決するために、従来から電話機、電話受話器、電話器ホルダ、保持具といった項目で、各種の試みが提案されてきた。
【特許文献１】特開平８−１８１７５３号公報
【特許文献２】特開２０００−１０１７００公報
【特許文献３】特開平８−５６２４９公報
【特許文献４】特許平８−３３１２２０公報
【０００７】  特開平８−１８１７５３では、受話器の握持部分の上下数カ所を抱着保持のできる抱着部と、使用者の肩部分などの被掛下部分の形態に適する形状の「電話器用受話器ホルダ」が開示されている。【０００８】  特開２０００−１０１７００は女性の髪型を乱すことなく、受話器を保持することができる「電話受話器保持具」が開示されている。【０００９】  特開平８−５６２４９は、ヘッドバンドで繋いだマイクロホンとレシーバを内蔵する電話器、「電話器ホルダ及び電話装置」を開示している。【００１０】  また、特開平８−３３１２２０では、イヤホーンとマイクロホンからなる「電話器」を開示している。
【発明の開示】
【発明が解決しようとする課題】
【００１１】  上記特開平８−１８１７５３の「電話器用受話器ホルダ」は、確かに自由に両手を使用できる環境を作るため、受話器を保持するために抱着アームで受話器を支え、やじろべい状の掛下部で肩にかけるように構成されているが、常時受話器に保持させておくには、社内での使用者個人の使用できる机上に、パソコン、電話機、資料、その他の文房具などが所狭しと置かれた狭いスペースでは、この大袈裟なホルダはいかにも邪魔者扱いされるだけである。【００１２】  また、常時受話器に保持させておかない場合、電話が長引きそうになり、また両手を使わなければならなくなった時、ホルダを受話器に取り付けるといった手間もまどろっこしい。【００１３】  逆に、ホルダを受話器に保持させたままで、電話がかかってきて、掛下部分を肩に掛け、調節している間に電話が直ぐに終わった場合など、その時々の対応にマッチしないことが容易に想像される。【００１４】  総合的にみて、確かに両手を自由に使用できるという点では評価できるが、実用性から検討すると、電話器との一体性が無く、機能性に欠けていると結論される。【００１５】  また、特開２０００−１０１７００の「電話受話器保持具」も確かに自由に両手が使える環境にあるが、受話器をバネ挟み式クリップで保持し、自在に曲げることのできる保持棒で固定し、保持具本体の一方を肩に、一方は肩から脇下に挟むような形状をしている。この保持具も、先に述べた特開平８−１８１７５３と機構的には同じで、最大の欠点は保持具本体、本体支持棒、バネ挟みクリップなど、棒状や線状に組み合わされたものを、常に電話機の側に置いておかなければならず、狭い机上が煩雑になり、仕事の効率が悪いといった弊害がある。【００１６】  実際に、机上の電話のベルが鳴った。受話器を取り上げ、長引きそうだったら、受話器にバネ挟みクリップを装着し、保持具本体を首にまわし、一方を脇下に挟み込むといった一連の動作は、いかにもまどろっこしい。【００１７】  やっと、保持具を装着し、パソコンに向かって対応したら間もなく電話での用件が終わったというのでは、保持具の装着、脱着にいらいらがつのるだけである。【００１８】  また、このような棒状や線状といった本体送受話器と一体化していないものを、電話器の側に置くことは、特に急いでいる時には紙や筆記具、その他コード類をひっかけてしまう危険性もある。【００１９】  ただでさえいらいらが募る昨今の複雑な内容の電話対応を必要とするとき、いかにも機能性に欠けていると結論される。【００２０】  特開平８−５６２４９や特開平８−３３１２２０にしても、ヘッドバンドやマイクロホンとイヤホーンの組み合わせといった電話送受話器と一体化しておらず、そもそも終局的な目的である、最も慣れ親しんでいる通常の送受話器とまったく違和感のない仕様で、使用できる機能性からはほど遠いものであり、未だにどれも一般に普及されがたいという事実がある。
【課題を解決するための手段】
【００２１】前記課題を解決するため、本発明の「肩掛け電話送受話器」を提案するものである。この「肩掛け電話送受話器」は新たに自在継ぎ手を介して肩に掛ける伸縮自在の自在アームと繋がっていて、使用者の肩の厚さによって、例えば３段にも伸ばすことが出来る。【００２２】自在アームは、自在継ぎ手によって自由に回転させることができるようになっていて、自在継ぎ手を縦方向（角度：α）に自在アームを開いて角度を調節し、より安定した状態で肩にマッチさせることが出来る。【００２３】また、自在アームは自在継ぎ手によって角度を横方向（角度：β）に調節して、より安定した状態で、口元、耳元にマッチさせることが出来る。【００２４】この肩掛け電話送受話器は、顔の左右いずれかに、場合によっては２台の送受話器を両肩に同時に掛け、緊急の顧客に対しても両手を使わずに自由に電話送受話器を使うことが出来る。【００２５】本発明は、現在使用中の膨大の数の電話送受話器を全てこの「肩掛け電話送受話器」に変更するには大変な年数を要することになる。そのため、「肩掛け電話送受話器」の自在継ぎ手を介した自在アーム部分を「肩掛け固定具」と呼称するが、それを別途製作して、ビスや両面テープで既存の電話送受話器に暫定的に簡単に取り付けられるメリットがあり、そのままの状態で送受話器が使うことも出来る「肩掛け電話送受話器」である。
【発明の効果】
【００２６】「肩掛け電話送受話器」のために、狭い机上のスペースに新たにスペースをとる必要はないし、ましてや、机上を煩雑にする心配も無い。したがって、従来提案されてきたいずれの送受話器よりも、使用者にとっては簡便で、尚且つ、機能性に優れており、自在継ぎ手を介した自在アーム（肩掛け固定具）を暫定的に従来の電話送受話器にビスや両面テープなどで、簡単に取り付けられるメリットはすこぶる大きい。【００２７】本発明の「肩掛け電話送受話器」は、使用後や片手で送受話器を保持する時は、内筒を外筒に押し込んで収納し、角度αをゼロにすると、丁度アイロンの握手のように、机上を広くすっきりした形で使えるし、場所をとらず、周辺部にコードやイヤホンなどが無く、極めて効率的に即座に両手を自由に使えるというメリットがある。
【発明を実施するための最良の形態】
【００２８】本発明の実施の形態を図面に示す実施例を参照しながら、全体のイメージが容易に得られるために、「肩掛け電話送受話器」から説明する。図１は本発明の「肩掛け電話送受話器」の側面図である。イメージ的には通常の送受話器本体の背面部に自在継ぎ手を介した自在アームが付加されている形である。この例では、受話口（Ｘ）と送話口（Ｙ）の両端の長さは約２０ｃｍのものを想定し、材質は通常の電話器と同じもので構成されている。【００２９】  受話口背面部末端から約５〜１０ｃｍのところから自在アーム（Ａ）が、丁度アイロンの握手のように伸びている。この自在アーム（Ａ）は送受話器とは自在継手（Ｕ）で繋がっている。自在継手（Ｕ）は自在アーム（Ａ）を水平方向に３６０°、垂直（上下）方向（角度：α）に約９０°、横（左右）方向（角度：β）にそれぞれ約６０°の角度で動かすことが可能である。しかしこの自在アーム（Ａ）は、主として垂直（上下）方向（角度：α）に９０°と横（左右）方向（角度：β）にそれぞれ６０°の範囲で使用できれば、この目的には十分である。【００３０】  自在アーム（Ａ）は、図１のようにやや上側に凸の曲率を持った形態をしているが、本質的には注射器をイメージして貰えば分かりやすい。すなわち、外筒（Ｏ）と内筒（Ｉ）からなっており、内筒（Ｉ）をゆっくりと引き出すと、外筒（Ｏ）の末端部のストッパー（Ｓ）の位置で止まる。外筒（Ｏ）と内筒（Ｉ）の空間（Ｆ）の部分が自在アーム（Ａ）の伸縮部分である。この図の自在アーム（Ａ）の長さは約１５ｃｍであるが、外国人のように肩の厚さが厚い人の場合には内筒（Ｉ）の中に、同じ機構の内筒を更に１本内蔵させて長くすることも容易に可能である。【００３１】  図２は本発明の肩掛け電話送受話器を背面、すなわち自在アームの上の方向から見た図である。【００３２】  図３は電話機未使用時の自在アーム（Ａ）の状態で、内筒（Ｉ）は外筒（Ｏ）の中に収納されている。この状態で自在アーム（Ａ）は、送受話器本体の握手（Ｎ）とほぼ平行（角度αはゼロ）で、丁度アイロンの握手と同じような形態と思ってよい。【００３３】この自在アーム（Ａ）が収納されている状態で電話がかかってきたら、従来どおり送受話器の握手部分（Ｎ）をもって通話するもよし、自在アーム（Ａ）を持って通話しても何ら違和感は無い。このように、未使用時は送受話器と一体になっているので、従来まで提案されたもの［特許文献１〜４］に比して、電話器の周辺はすっきりと保つことが出来、イヤホン、ヘッドバンド、掛下部、抱着部、保持棒などの外部接続部分やコードなどから一切開放されるのが特徴である。【００３４】  電話が長引きそうになったり、パソコン操作、資料の検索のために両手を使わなければならなくなったら、自在アーム（Ａ）を垂直（上下）方向に肩の厚みに対応する任意の角度（α）を調節して肩に掛ける。この際、送受話器を顔の左右いずれかの方向で、口元、耳元に送受話器を近づけたければ、自在継手（Ｕ）を横（左右）方向の角度（β）を調節することによって送受話器を最適の状態にして、両手を自由に使うことができる。図４は自在アーム（Ａ）の垂直（上下）方向の角度（α）をほぼ９０°にした場合を示している。【００３５】本発明���「肩掛け電話送受話器」を膨大な数の既存の電話送受話器に変更するためには多くの年数を必要とする。そのため、暫定的に自在継ぎ手（Ｕ）を介した自在アーム（Ａ）を図５、６に示すように、自在継ぎ手（Ｕ）を含む平らな部分の前後１〜２ｃｍ、（Ｃ）−（Ｄ）部分を作り（肩掛け固定具）、既存の電話器の送受話器の背面部を本体から外して、新たに適当なビス２〜３本、又は両面テープなどで背面部に固定すれば、本発明の「肩掛け電話送受話器」と同じ形態、機能で使用できる。【００３６】図６は、図５を背面方向、すなわち自在アームの上の方から見た図である。外筒（Ｏ）から内筒（Ｉ）を引き出す時に、内筒（Ｉ）の上面に細い筋状の切り込みガイド（Ｇ）が付いていて、外筒末端部のストッパー（Ｓ）のところまでガイド（Ｇ）によってスムーズに引き出すことが出来る。ストッパー（Ｓ）は外筒（Ｏ）の末端部に球形をした突起になっており、内筒（Ｉ）はこのガイド（Ｇ）の溝の末端部で止められる。図７は内筒（Ｉ）のガイド（Ｇ）の溝と外筒（Ｏ）のストッパー（Ｓ）の部分を示している。外国人のように、肩の厚さが厚い使用者のためには、１段目の内筒（Ｉ）の中に更に１本細い２段目の内筒を同じ機構で付け加えて自在アームを３段式にすると更に使いやすい（図１）。
【実施例】
【００３７】  上に述べたように、本発明によれば、下記の効果を十二分に発揮できる。
（１）自在継手（Ｕ）を介した自在アーム（Ａ）を簡単に調節して送受話器を肩に掛けるだけで、両手を自由に使って電話の相手に対応できる。【００３８】（２）従来の電話送受話器に自在継手（Ｕ）に連結した自在アーム（Ａ）を必要な角度（α）で保持することができるので、肩掛け部が簡単に調節でき、使用者の体型に関係なく対応できる。【００３９】（３）肩掛け部を左右のどちらに掛けても、自在継手（Ｕ）の横方向の角度（β）を調節することによって送受話口を適当な角度で口元、耳元に向けることができる。したがって、場合によっては２台の送受話器を両肩に掛けて緊急に対応することも可能である。【００４０】名前のとおり「肩掛け電話送受話器」、特にイヤホン、ヘッドホーン、スタンドのような外部接続部分を必要としないので、狭い机上をすっきりした形で電話の対応が出来、机上にある文房具や図書などを引っ掛けたり、乱したりすることは無い。【００４１】（５）自在継手（Ｕ）を介した自在アーム（Ａ）の機構が単純なので、従来の電話の応対と同じく即刻対応できる。【００４２】（６）電話の応対中は両手を使ってパソコン操作、資料検索など各種作業が両手で自由に、かつスムーズにでき、送受話器を顔と肩の間で挟むといった無理な姿勢を取ることもないので、長時間の電話の応対にも疲労を感じることなく非常に便利で機能的である。【００４３】（７）電話未使用時は自在アーム（Ａ）の内筒（Ｉ）を外筒（Ｏ）に収納すれば、正にアイロンの握手と同じ形になり、すっきりと収まって違和感が全くない。【００４４】（８）電話の対応が長引きそうだからといって、やおら必要な保持具、保持棒、イヤホーンといった部分をセットする必要がないので、対応がスムーズにできる。【００４５】既存の電話送受話器にも暫定的に自在継ぎ手（Ｕ）を介した自在アーム（Ａ）（肩掛け固定具）を部分的に簡単に取り付けることが出来、両手をフリーにしながらの電話の対応に革命的な便利さを提供できる。【００４６】（１０）以上、初期の目的を十分達成することができる。
【産業上の利用可能性】
【００４７】  本発明に関連して提供されてきたいくつかの発明（例えば特許文献１〜４）が今日までに産業上の具体的な使用例がほとんど無いのは、確かに電話中に両手を自由に使えるという目的は達成されているものの、電話本来の機構が簡便で、機能性が高く、効率的で、相手方通話者との対応が即時に出来るといった昨今のＩＴ時代にマッチしないという致命的な欠陥が多々あったためである。【００４８】  加えて現在使われている家庭での卓上電話機や壁掛け電話機、それにコードレス電話機といった一家に１〜２台、会社にあっても一人に１〜２台といった膨大な数の電話機をこれまでに提供されてきた発明では、今後どのようにしたら利用価値が上がるのかといった将来展望が全くないからである。【００４９】既存の電話送受話器を本発明の「肩掛け電話送受話器」に順次切り替えてゆく過程で、先ず現在使われている膨大な数の電話器に、暫定的に自在継ぎ手（Ｕ）を介した自在アーム（Ａ）（肩掛け固定具）を装着して使用しながら、徐々に「肩掛け電話送受話器」に切り替えてゆくことによって、機能性が高く、効率的な対応が可能となり、場合によっては２台の電話を同時に両肩に掛け、両手を自由に使っての対応も問題なくこなすことが出来、正にＩＴ時代の電話器による対応といった産業上の利用の可能性は限りなく広いと推察される。
【図面の簡単な説明】
【図１】本発明である「電話送受話器の肩掛け固定具」を一体化した「肩掛け電話送受話器」の機能の側面図。
【図２】本発明の図１の背面図、すなわち自在アーム（Ａ）の上から見た図。
【図３】本発明の未使用時の側面図（自在アーム（Ａ）の内筒（Ｉ）を外筒（Ｏ）に収納し、自在アーム（Ａ）の上下方向の角度（α）をゼロにした場合）。
【図４】本発明の側面図（自在アーム（Ａ）の内筒（Ｉ）を引き出し、角度（α）を約９０°の最大にし、肩の厚い使用者に対応させた場合）。
【図５】本発明の「電話送受話器の肩掛け固定具」を既存の送受話器に取り付ける場合の自在継手（Ｕ）を介した自在アーム（Ａ）の部分の側面図。
【図６】図５の背面図、すなわち自在アーム（Ａ）の上から見た図。
【図７】本発明の自在アーム（Ａ）から内筒（Ｉ）を引き出した場合の内筒（Ｉ）のガイドの溝（Ｇ）と外筒（Ｏ）の末端部のストッパー（Ｓ）の概略図。
【符号の説明】
Ａ：自在アーム、
Ｕ：自在継手、
Ｉ：自在アームの内筒、
Ｏ：自在アームの外筒、
Ｇ：内筒上面のガイドの溝、
Ｓ：外筒末端部のストッパー、
Ｎ：電話送受話器本体の握手部、
Ｃ，Ｄ：既存の電話送受話器に自在アームを取り付ける長さの両端部分、
Ｆ：自在アームの伸縮部分、
Ｘ：送受話器の受話口、
Ｙ：送受話器の送話口、
α：自在アームの垂直（上下）方向の角度、
β：自在継手の横（左右）方向の角度。
【図１】
0004793586.tif 000002
【図２】
0004793586.tif 000003
【図３】
0004793586.tif 000004
【図４】
0004793586.tif 000005
【図５】
0004793586.tif 000006
【図６】
0004793586.tif 000007
【図７】
0004793586.tif 000008